(57)【要約】【課題】本発明は、非常警報を音と光でいかなる時でも速やかにかつ確実に外部へ報知することができ、夜間などにおいても報知現場を一目で確認することができ、使用者と異なる位置から報知し家屋や車両等における強盗などの犯罪や火災を未然に防ぐことや、被害を最小限にとどめることのできるリモコン式非常警報装置を提供することを目的とする。【解決手段】ペンダント型に形成された１以上のリモコン送信器と、前記リモコン送信器の信号を受信する受信器と、前記受信器に電気的に接続される警報ランプと、前記受信器に電気的に接続される非常ベルと、を備えている。【選択図】  図１
2004265150.tif 000002
【特許請求の範囲】
【請求項１】
ペンダント型に形成された１以上のリモコン送信機と、前記リモコン送信機の信号を受信する受信機と、前記受信機に電気的に接続される警報ランプと、前記受信機に電気的に接続される非常ベルと、を備えていることを特徴とするリモコン式非常警報装置。
【請求項２】
前記リモコン送信機が楕円状のペンダント型に形成されるとともに両側面に前記受信機に信号を送信する送信スイッチを備え、前記受信機が箱型の機器取付部の側部に配設され、前記警報ランプが前記機器取付部の上部に配設され、前記非常ベルが前記機器取付部の前面及び／又は建物の壁面に配設されることを特徴とする請求項１に記載のリモコン式非常警報装置。
【請求項３】
前記機器取付部が、前記機器取付部の側面に配設又は延設され前記受信機を固定する固定部を備えていることを特徴とする請求項１又は２に記載のリモコン式非常警報装置。
【請求項４】
前記受信機が車両の内部に設置される装着部を備え、前記警報ランプ及び前記非常ベルが裏面に磁石を配設された板状の車両取付部材の上面に配設固定されていることを特徴とする請求項１に記載のリモコン式非常警報装置。
【請求項５】
前記車両取付部材が、前記警報ランプ及び前記非常ベルが上面に配設固定された機器取付板と、前記機器取付板の対向する少なくとも一組の両端面部からそれぞれ下方に延設された脚部と、前記脚部の下端部から水平方向に延設されて裏面に磁石が配設された磁着部と、を備えていることを特徴とする請求項４に記載のリモコン式非常警報装置。
【請求項６】
前記リモコン送信機が作動テストボタンを備え、前記受信機が前記作動テストボタンにより音声を発生するスピーカーと前記スピーカーの音量を調整するボリュームスイッチとを備えていることを特徴とする請求項１乃至５の内いずれか１項に記載のリモコン式非常警報装置。
【請求項７】
前記受信機が、前記受信機前面もしくは側面に配設された鳴動停止ボタン又はタイマーと、及び／又は前記非常ベル及び前記警報ランプの作動に連動して警察及び警備会社等に事件発生を通報する通報装置と、を備えていることを特徴とする請求項１乃至６の内いずれか１項に記載のリモコン式非常警報装置。
【発明の詳細な説明】
【０００１】
【発明の属する技術分野】
本発明は、銀行、コンビニエンスストア、マンション、消費者金融、スーパーマーケット、個人の住宅、パチンコ景品交換所、特定郵便局などの郵便局、宝石店あるいは現金輸送車等に設置することで、侵入者や強盗などの犯罪や火災が発生した場合に、首や腕等に常時着用して携帯するペンダント型のリモコン送信機を操作することにより、近隣の人に事件発生を報知し犯罪や火災の未然防止や被害を最小限にとどめることができるリモコン式非常警報装置に関するものである。
【０００２】
【従来の技術】
従来、強盗などの犯罪や火災による危険に際し、個人用の携帯用非常警報装置や、コンビニエンスストアなどで用いられる固定ボタン式非常警報装置やボタン式の火災用の非常警報装置などの様々な非常警報装置が開発されている。携帯用非常警報装置は、該装置そのものを使用者が携帯することで危険時にスイッチを操作し拡大された音声などにより周囲に報知するもので、また、固定ボタン式非常警報装置は、レジなどの所定の位置にボタンを設置し、強盗などの犯罪時に、ボタンを押すことで周囲に報知又は警察や警備会社等へ連絡するものである。
しかし、従来の非常警報装置は以下のような問題を有していた。
（１）個人用の携帯用非常警報装置では、使用者の位置から報知するのみであるため、屋内などの閉め切られた場所で危険が迫ったときには、警報の到達範囲が極めて狭くなり外部へ音声を報知することができない。
（２）個人用の携帯用非常警報装置では、使用者の位置から報知するため、強盗などが装置の報知音を止めようとして使用者が逆に危険な状態になる。
（３）固定ボタン式非常警報装置では、レジ等の特定の場所にしかボタンが無いため、例えば商品整理中などで店員がレジを離れている際などは、ボタンを押すことができず、報知が遅れてしまう。
（４）ボタン式の火災用の非常警報装置では、特定の場所にしかボタンが無いため、装置の付近にいないとボタンを押すことができず、報知が遅れてしまう。
そこで、これらの問題を解決するために従来の非常警報装置は、例えば、（特許文献１）には、「携帯用無線器と携帯用無線器の信号を受信する受信機を現金輸送車に設置し、受信機はアンプで増幅させ、ボンネット内に設けたスピーカとトランク内に設けたスピーカで事件の発生を拡大音声で報知する機能を備えた防犯用警報発信装置」、又は、「携帯用無線器と携帯用無線器の信号を受信する受信機を屋内に設け、受信機のアンプで増幅して報知する屋内スピーカと屋外スピーカを設置し、携帯用無線器の信号を受信機が受信してアンプで増幅させて事件を報知する拡大音声機能と、受信機に抵抗回路を組み込んだ音声動作確認テストボタンを押せば通常の低音声で事前の動作確認ができる機能を備えた防犯用警報発信装置」が開示されている。
【０００３】
【特許文献１】
特開平１１−３２８５５０号公報
【０００４】
【発明が解決しようとする課題】
しかしながら上記従来の技術では、以下のような課題を有していた。
（１）特許文献１に開示の技術は、車のボンネットとトランクの内部にスピーカーを設置するため報知する音声が小さくなってしまうという課題と、報知手段が音声のみなので夜間などの見通しが悪い時は音声のみでは方向が分からず発見が遅れてしまうという課題と、を有していた。
【０００５】
本発明は上記従来の課題を解決するもので、非常警報を音と光でいかなる時でも速やかにかつ確実に外部へ報知することができ、夜間などにおいても報知現場を一目で確認することができ、使用者と異なる位置から報知し家屋や車両等における強盗などの犯罪や火災を未然に防ぐことや、被害を最小限にとどめることのできるリモコン式非常警報装置を提供することを目的とする。
【０００６】
【課題を解決するための手段】
上記課題を解決するために本発明のリモコン式非常警報装置は、以下の構成を有している。
本発明の請求項１に記載のリモコン式非常警報装置は、ペンダント型に形成された１以上のリモコン送信機と、前記リモコン送信機の信号を受信する受信機と、前記受信機に電気的に接続される警報ランプと、前記受信機に電気的に接続される非常ベルと、を備えた構成を有している。
この構成により、以下のような作用を有する。
（１）リモコン送信機がペンダント型に形成されており首や腕等に常時着用して携帯しておくことができるため、非常時に速やかに信号を送信することができ、周囲に異常を知らせ犯罪などを未然に防ぐことが出来る。
（２）非常ベルを屋内に設置した場合、非常ベルの大きな音で犯人に動揺を与え犯行を放棄させ犯罪を防ぐことができる。
（３）非常ベルが屋外に設置されることで、屋外の広範囲にわたって報知することができるため、屋外の通行人などが容易に非常事態を発見して、警察などに通報することができる。
（４）警報ランプが屋外に設置されることで、夜間等においても警報ランプが点灯又は点滅するため、屋外の通行人などに容易に非常事態を報知することができる。
【０００７】
ここで、リモコン送信機の送信信号は、赤外線が用いられる。特に、周波数が４２６ＭＨｚ帯であって、送信出力が３〜１０ｍＷのものは、無線局免許や無線従事者資格が不用（電波法第４条第３項参照）であり、利便性に優れるため、好適に用いられる。
リモコン送信機の外装に使用される材料としては、防水性を有するものならば何でも用いることができる。特に、ＰＥ、ＰＰ、ＨＩＰＳ、ＡＢＳなどの合成樹脂は、軽量であり成形性に優れるため、好適に用いられる。
受信機の周波数帯は、リモコン送信機に対応した周波数帯のものが用いられ、外装に使用される材料としては、リモコン送信機と同じものが用いられる。また、屋内でも直射日光が当る場所に設置する場合は、樹脂に耐紫外線性を付加させると、好ましい。これにより、変色などを防止できる。
【０００８】
警報ランプの色は周囲の環境に合わせて何でも使用することができる。特に、赤色の警報ランプは、視認性に優れており周囲の通行人の注意を引きやすいため、好適に用いられる。
警報ランプは、作動中は常時点灯、所定の間隔で点滅させて点灯、もしくはパトライト（登録商標）のように回転させて点灯するなどの作動により用いられる。特に、パトライトのように赤色で回転し点灯させると、常夜灯と違いパトカーを連想させることができ、犯人に心理的動揺を与え逃走心理を引き起こさせ犯行を未然に防止できるため、好適に用いられる。
警報ランプの設置箇所は、通行人からの視認性の良い箇所ならばどこでも設置される。特に、玄関など入口の近傍の壁面や庇に設置すると、通行人からの視認性が良く、コンビニエンスストアなどにおいて犯人が犯行に及ぶ前に、犯人に心理的動揺を与え逃走心理を引き起こさせ犯行を未然に防ぐことができるため、好適に用いられる。警報ランプには設置場所が屋外の場合は防水処置が施される。これにより、雨などで濡れても漏電を防ぐことができる。
【０００９】
非常ベルの設置箇所は、警報ランプと同じ又は近い箇所に設置されると、通行人に音と光の２つの手段により報知できるため、認識され易く好ましい。非常ベルには警報ランプと同様に設置場所に応じて防水性を付加することもできる。
非常ベルや警報ランプが設置される建物としては、銀行、コンビニエンスストア、マンション、消費者金融、スーパーマーケット、個人の住宅、パチンコ景品交換所、特定郵便局などの郵便局、宝石店等が挙げられる。特に、強盗が多発しているコンビニエンスストアや銀行等で好適に用いられる。
コンビニエンスストア等で既設の受信機と既設の受信機に接続された警報ランプがある場合は、リモコン送信機の電波の送信周波数を既設の受信機の周波数にセットするか又は既設の受信機の電波の送信周波数をリモコン送信機の周波数にセット等することにより使用することもできる。これにより、既設のものを利用して容易にシステムを構成することができる。
【００１０】
請求項２に記載の発明は、請求項１に記載の非常警報装置であって、前記リモコン送信機が楕円状のペンダント型に形成されるとともに両側面に前記受信機に信号を送信する送信スイッチを備え、前記受信機が箱型の機器取付部の側部に配設され、前記警報ランプが前記機器取付部の上部に配設され、前記非常ベルが前記機器取付部の前面及び／又は建物の壁面に配設される構成を有している。
この構成により、請求項１の作用に加え、以下のような作用を有する。
（１）リモコン送信機が楕円状に形成されており、手で握り締めるだけで操作することができるため、操作性に優れる。
（２）リモコン送信機が楕円状のペンダント型に形成されており、両側面に送信スイッチを有していることで、首などに掛けて服やポケットの中に入れていても服やポケット上からでも操作することができるため、操作性に優れる。
（３）警報ランプ、非常ベル、受信機を機器取付部に予め取付けておくことで現場での設置作業工数が減るため、作業性に優れる。
（４）警報ランプと非常ベルが同じ箇所に設置されることで、第三者や犯人に音と光の２つの手段により同時に報知でき、確実性を向上できる。
（５）警報ランプ、非常ベル、受信機が同じ箇所に設置されることで、同時に点検や交換などの作業を行うことができるため、メンテナンス性及び作業性に優れる。
【００１１】
ここで、リモコン送信機の大きさは、長径側が６０〜１００ｍｍ、短径側が４０〜５０ｍｍ、厚さが１５〜３０ｍｍの数値が好適に用いられる。各々の数値より小さくなるにつれて手で握りにくくなり操作性に劣る傾向がみられ、また、各々の数値より大きくなるにつれてかさばってやはり操作性に劣る傾向がみられ、いずれも好ましくない。
リモコン送信機の両側面に設けられる送信スイッチは、突起状に形成、リモコン送信機と略面一に押し釦状に形成されたものが用いられる。特に、リモコン送信機と略面一に押し釦状に形成されたものは、突起がなく落下や衝撃などによって発報する誤作動を防げるため、好適に用いられる。
送信スイッチの大きさは、リモコン送信機の長径側の側面の半分程度の大きさ、長径側の側面の全面の大きさなどが用いられる。特に、長径側の側面の半分程度の大きさで形成されることで、操作性に優れるため、好ましい。
また、リモコン送信機を操作することにより、非常ベルや警報ランプを停止できることが好ましい。これにより、誤作動時などには直ちに非常ベルや警報ランプを停止させ、誤って警察などに通報されるのを防ぐことができる。
【００１２】
機器取付部の材料としては、ＰＥ，ＰＰ，ＨＩＰＳ，ＡＢＳ，ＡＳなどの合成樹脂、ステンレスや亜鉛鍍金を施した鋼材などの金属、木材などが用いられる。特に、ＰＥ，ＰＰ，ＨＩＰＳ，ＡＢＳ，ＡＳなどの合成樹脂は、軽量であり成形性及び防水性に優れ、既存の汎用品が多く安価であるため、好適に用いられる。
機器取付部の大きさは、警報ランプ、非常ベル、受信機の大きさ及び重量により決められる。
機器取付部には、受信機と非常ベルと警報ランプとを一体的に配設する以外にも、受信機を屋内に設置し非常ベル及び警報ランプを屋外に設置するか、もしくは、非常ベル及び警報ランプを屋内及び屋外の各々に設置し、屋内及び屋外に非常事態を報知するようにしてもよい。これにより第三者に報知すると共に、犯人に心理的動揺を与えて逃走心理を引き起こさせて犯行を未然に防止できる。また、非常ベル及び警報ランプを屋内及び屋外の各々に設置した場合には、いずれか一方が故障しても、他方で報知することができ、信頼性を向上できる。
【００１３】
請求項３に記載の発明は、請求項１又は２に記載のリモコン式非常警報装置であって、前記機器取付部が、前記機器取付部の側面に配設又は延設され前記受信機を固定する固定部を備えた構成を有している。
この構成により、請求項１又は２の作用に加え、以下のような作用を有する。
（１）固定部により受信機を正面方向に向かせた状態で設置できるため、受信機の受信性能を向上させることができる。
【００１４】
ここで、固定部は、機器取付部と一体的に形成してもよいし、別部材を配設するようにしてもよい。固定部の材料としては、ＰＥ，ＰＰ，ＨＩＰＳ，ＡＢＳ，ＡＳなどの合成樹脂、ステンレスや亜鉛及びクロムなどの鍍金を施した鋼材などの金属、木材などが用いられる。特に、クロム鍍金を施したＬ字アングル鋼材は、安価で耐久性に優れておりボルトにより機器取付部及び受信機に強固に固定できるため、好適に用いられる。
固定部の本数や大きさは、受信機の大きさ及び重量から決定される。
【００１５】
請求項４に記載のリモコン式非常警報装置は、請求項１に記載のリモコン式非常警報装置であって、前記受信機が車両の内部に設置される装着部を備え、前記警報ランプ及び前記非常ベルが裏面に磁石を配設された板状の車両取付部材の上面に配設固定されている構成を有している。
この構成により、請求項１の作用に加え、以下のような作用を有する。
（１）受信機が車内に設置されることで、防水対策等が不用になり、耐久性に優れる。
（２）警報ランプが車外に設置されることで、夜間等においても警報ランプが点灯又は点滅するため、屋外の通行人などに容易に非常事態を報知することができる。
（３）非常ベルを車外に設置した場合、非常ベルの大きな音で犯人に動揺を与え犯行を放棄させ犯罪を防ぐことができる。
（４）警報ランプや非常ベルが車外に設置されることで、屋外の広範囲にわたって報知することができるため、屋外の通行人などが容易に非常事態を発見して、警察などに通報することができる。
（５）警報ランプと非常ベルが同じ箇所に設置されることで、通行人に音と光の２つの手段により同時に報知でき、確実性を向上することができる。
（６）車両取付部材が裏面に磁石を配設されているため、緊急時に車両のルーフ上面などに磁着して非常事態を報知でき、通常時は車内に収納することができる。
（７）警報ランプと非常ベルが車両取付部材に一体的に配設されているので、取り扱いが容易で、同時に点検や交換作業を行うことができ、メンテナンス性に優れる。
【００１６】
ここで、受信機は、リモコン送信機からの信号が到達する場所ならばどこでも設置することができる。装着部に面ファスナー、両面テープ、磁石などを備えることにより、ダッシュボードの上や天井など車内の任意の場所に容易に設置したり、取り外したりすることができる。特に、座席の下は、設置に場所を取らずメンテナンス性に優れるとともに、侵入者に発見されにくく、壊され難いため、好適に用いられる。
警報ランプ及び非常ベルを配設された車両取付部材は、車両のボンネット内部、トランク内部、ルーフ上部などに設置される。
車両取付部材の材料としては、ＰＥ，ＰＰ，ＨＩＰＳ，ＡＢＳ，ＡＳなどの合成樹脂、ステンレスや亜鉛及びクロムなどの鍍金を施した鋼材などの金属、木材などが用いられる。特に、亜鉛鍍金を施した鋼材及びステンレス板は、安価で耐久性及び安定性に優れておりボルトにより警報ランプ及び非常ベルを強固に固定できるため、好適に用いられる。
車両取付部材の大きさは、非常ベル及び警報ランプの大きさにより決定される。
車両取付部材の厚さは、１〜２ｍｍが好適に用いられる。厚さが、１ｍｍより薄くなるにつれて強度が不足する傾向がみられ、また、２ｍｍより厚くなるにつれて重量が重くなって取り扱い性に欠け、折り曲げ等の加工が難しくなり作業性に劣る傾向がみられ、いずれも好ましくない。
【００１７】
車両取付部材の裏面に配設される磁石の厚さは、１〜３ｍｍが好適に用いられる。厚さが１ｍｍより薄くなるにつれて車両取付部材を磁着させるのに十分な磁着力を得ることができなくなる傾向がみられ、また、３ｍｍより厚くなるにつれて不必要に厚くなり省資源性に劣る傾向がみられ、いずれも好ましくない。
磁石の車両取付部材への固定は、接着剤、両面テープ、面ファスナー等が用いられる。特に、接着剤は強固に固定でき、耐久性に優れるため、好適に用いられる。
特に、ルーフ上部は、視認性に優れており、車両取付部材の裏面に配設される磁石によって容易に磁着して固定することができ、非常ベルの鳴動音が周囲によく聞こえるため、好適に用いられる。
車両としては、自家用車の他に現金輸送車、貴金属の輸送車などが挙げられる。
【００１８】
請求項５に記載の発明は、請求項４に記載のリモコン式非常警報装置であって、前記車両取付部材が、前記警報ランプ及び前記非常ベルが上面に配設固定された機器取付板と、前記機器取付板の対向する少なくとも一組の両端面部からそれぞれ下方に延設された脚部と、前記脚部の下端部から水平方向に延設されて裏面に磁石が配設された磁着部と、を備えた構成を有している。
この構成により、請求項４の作用に加え、以下のような作用を有する。
（１）車両取付部材に脚部を形成することで、車両のルーフなどの磁着面と車両取付板との間隔を空けることができるため、車両取付板の裏面に突起が生じてもよく警報ランプ及び非常ベルをボルト等により強固に固定することができる。
【００１９】
ここで、脚部及び磁着部は、機器取付板の長手方向及び／又は短手方向の両端面部に形成される。特に、機器取付板の長手方向の両端面部に形成されると、設置面積が増えて取付の安定性にすぐれるため、好適に用いられる。
脚部及び磁着部の形状は、機器取付板の一辺全体に渡って板状に形成されたもの、機器取付板の一辺の複数箇所に形成されたものが用いられる。特に、機器取付板の一辺全体に渡って板状に形成されたものは、設置安定性に優れるため、好適に用いられる。
【００２０】
請求項６に記載の発明は、請求項１及至５の内いずれか１項に記載のリモコン式非常警報装置であって、前記リモコン送信機が作動テストボタンを備え、前記受信機が前記作動テストボタンにより音声を発生するスピーカーと前記スピーカーの音量を調整するボリュームスイッチとを備えた構成を有している。
この構成により、請求項１及至５の作用に加え、以下のような作用を有する。
（１）リモコン送信機が作動テストボタンを備え、受信機がスピーカーを備えていることによりリモコン送信機と受信機の作動テストを同時に行うことができるため、作業性に優れる。
（２）スピーカーがボリュームスイッチを有することにより、スピーカーから発生する音量を調節できるため、作動テスト時に音量を小さくし近隣に対して迷惑がかからないようにすることができる。
【００２１】
ここで、作動テストボタンは、送信スイッチと別にリモコン送信機に設けることもできるが、送信スイッチにより代用することもできる。これにより、部品点数を減らして製造や組み立ての工数を低減できる。作動テスト時は、非常ベル及び警報ランプへの配線を一時外してから行うようにすると、近隣へ迷惑がかからず、好ましい。
作動テスト時のスピーカーの音声は、確認ができる程度の音量にボリュームスイッチにより調節すればよい。
【００２２】
請求項７に記載の発明は、請求項１及至６の内いずれか１項に記載のリモコン式非常警報装置であって、前記受信機が、前記受信機前面もしくは側面に配設された鳴動停止ボタン又はタイマーと、及び／又は前記非常ベル及び前記警報ランプの作動に連動して警察及び警備会社等に事件発生を通報する通報装置と、を備えた構成を有している。
この構成により、請求項１及至６の作用に加え、以下のような作用を有する。
（１）受信機がタイマーを備えていることにより、非常ベルの鳴動及び警報ランプの点灯を所定の時間で停止させ、必要以上の非常ベルの鳴動及び警報ランプの点灯を防止できる。
（２）受信機が鳴動停止ボタンを備えていることにより、非常ベルの鳴動及び警報ランプの点灯を任意に停止でき、誤作動などが発生した場合でも速やかに停止させることができる
（３）受信機が通報装置を備えることで、警察及び警備会社に自動的に通報することができるため、犯罪などに対して迅速な対応を行うことができる。
【００２３】
ここで、タイマーの設定時間は、３〜５分が好適に用いられる。設定時間が３分より短くなるにつれて、侵入者や強盗などの犯人が逃走しないうちに停止させてしまう傾向がみられ、また、５分より長くなるにつれて非常ベルの音声が近隣へ迷惑になってしまう傾向がみられ、いずれも好ましくない。
鳴動停止ボタンの位置は、受信機前面もしくは側面の分かりやすい位置に設置される。これにより、誤作動時などには速やかに非常ベル及び警報ランプを停止させることができる。
通報装置としては、電話回線を利用して非常ベル等の作動に連動して、自動的に警備会社などへ通報する接続機構が用いられる。
【００２４】
【発明の実施の形態】
以下、本発明の一実施の形態について、図を用いて説明する。
（実施の形態１）
図１は実施の形態１におけるリモコン式非常警報装置のシステムを示す構成図である。図１において、１は実施の形態１におけるリモコン式非常警報装置、２は各使用者が携帯するリモコン送信機、２ａはストラップ孔２ｆに挿設された
ストラップ、２ｂはリモコン送信機２の両側部に表面が面一に配設された送信スイッチ、２ｃはリモコン表示灯、２ｄはリセットボタン、２ｅは内蔵電池、３は建物の屋内に配設される受信機、３ａはアンテナ、３ｂは受信機表示灯、３ｃはスピーカー、３ｄはボリュームスイッチ、３ｅは電源スイッチ、４は受信機３に電気的に接続され屋内や屋外又は両方に配置固定される非常ベル、５は受信機３に電気的に接続され屋内や屋外又は両方に配置固定される警報ランプ、６は受信機３に接続され受信機３に電力を供給する電源部である。
【００２５】
以上のように構成された実施の形態１におけるリモコン式非常警報装置について、その動作を図１により説明する。
使用者がリモコン送信機２の送信スイッチ２ｂを押すことでリモコン表示灯２ｃが点灯すると同時に信号が送信される。送信された信号は受信機３で受信され、受信機表示灯３ｂが点灯すると同時に非常ベル４及び警報ランプ５が作動する。これにより、外部の第三者に事件発生を報知する。
次に、作動テスト方法について説明する。送信スイッチ２ｂは作動テストボタンも兼用しており、受信機３でリモコン送信機２からの信号が受信された場合は、受信機３に併設されたスピーカー３ｃからチャイム等の音声が発せられ受信ができたことを知らせる。そのため、作動テスト時には、非常ベル４及び警報ランプ５への配線を外す等してから作動テストをおこなうようにし、作動テスト後は、ボリュームスイッチ３ｄを調節してスピーカー３ｃの音量を下げる。次に、非常ベル４と警報ランプ５の配線を元のとおりに接続し、受信機３に内蔵されたタイマーを数秒にセットし、リモコン送信機２の送信スイッチ２ｂを押し、発報を確認する。確認後、タイマーの設定を３〜５分に戻す。
【００２６】
以上のように構成された実施の形態１におけるリモコン式非常警報装置を、コンビニエンスストア等の建物に設置する場合について図２及び図３を用いて説明する。
図２は実施の形態１におけるリモコン式非常警報装置の設置図であり、図３は図２のＡ部の拡大図である。
図２において、２’は店員１人ずつに配布されたリモコン送信機、２ａ’はストラップ、２ｂ’は送信スイッチ、７はコンビニエンスストアなどの建物、７ａは建物７の壁部、７ｂは建物７の入口である。図３において、８はＰＥ，ＰＰ，ＨＩＰＳ，ＡＢＳなどの合成樹脂等で箱型に形成された機器取付部、８ａはクロム鍍金を施した鋼材やステンレス板でＬ字型に形成された固定部、８ｂは機器取付部８の扉部である。
【００２７】
リモコン送信機２，２’は、ＰＥ，ＰＰ，ＨＩＰＳ，ＡＢＳなどの合成樹脂等により楕円状のペンダント型に形成されており、建物７の外部でも内部でも使用できる。ストラップ２ａ，２ａ’は、リモコン送信機２，２’の長径側の端部に設置され首等から下げて携帯できるようになっており、送信スイッチ２ｂ，２ｂ’はリモコン送信機２，２’の長径側の両側面に配設されている。受信機３は、ＰＥ，ＰＰ，ＨＩＰＳ，ＡＢＳなどの合成樹脂等により箱型に形成されており、図示はしていないが、タイマーにより作動時間は３〜５分に設定されている。受信機３の側面には上からアンテナ３ａ、ボリュームスイッチ３ｄ、電源スイッチ３ｅが設置されており、受信機３の全面にはスピーカー３ｃと受信機表示灯３ｂとが設置されている。非常ベル４は機器取付部８の扉部８ｂに配設固定され、警報ランプ５は赤色に点滅するパトライト等からなり機器取付部８の上面に配設固定され、電源部６は蓄電池により形成され機器取付部８の内部に収納されている。また、機器取付部８は建物７の入口７ｂ上部の壁部７ａに配設固定されている。固定部８ａは一方が機器取付部８の側面にもう一方が受信機３の背面に固定されたＬ字型鋼材２本から形成され、これにより、受信機３は正面を向いて配設固定されている。
【００２８】
リモコン送信機２’は、図示はしていないが、コンビニエンスストアの店員などの使用者１人１人があらかじめストラップ２ａ’を首等から掛けて本体を服のなかに入れるかもしくは胸ポケットの中に入れておくなどして携帯する。強盗などの犯人が侵入した際に、リモコン送信機２’の送信スイッチ２ｂ’を押すことで信号が送信される。送信された信号は受信機３で受信され、図３に示すように非常ベル４及び警報ランプ５が作動し、事件発生を外部の通行者等に報知し３〜５分後に停止する。また、リモコン送信機２’が楕円状のペンダント型に形成されており、送信スイッチ２ｂ’がリモコン送信機２’の長径側の両側面に配設されているため、服やポケットの上からでもすばやく犯人に見つかることなく手で握り締めるだけで作動させることができる。さらに非常ベル４の鳴動及び警報ランプ５の点滅によって外部の通行者への報知効果に加えて、犯人に心理的動揺を与えて逃走心理を引き起こさせて犯行を未然に防止できる。
【００２９】
なお、実施の形態１におけるリモコン式非常警報装置は、コンビニエンスストア以外にも銀行、マンション、消費者金融、スーパーマーケット、個人の住宅、パチンコ景品交換所、特定郵便局などの郵便局、宝石店等にも用いることができる。その際には、機器取付部８を入口の庇又は外部からよく見える場所に設置するようにすると外部の通行者への報知がスムーズに行くと共に、犯人が犯行に及ぶ前に、非常警報装置の存在により犯人に心理的動揺を与えて逃走心理を引き起こさせて犯行を未然に防止できる。また、外部の第三者に異常を報知し、第三者の救援や第三者による警察等への通報を促す。更に、受信機３に、警察や警備会社への通報装置を備えた場合は、通報が自動的に行えるようになり、好ましい。
尚、コンビニエンスストア等で既に警報ランプと受信機を備えている場合は、該受信機が本実施の形態のリモコン送信機２，２’の送信する電波を受信できる電波帯に変更することで使用してもよい。また、本実施の形態では機器取付部８に受信機３と非常ベル４と警報ランプ５とを一体的に配設したものについて説明したが、受信機３を屋内に設置し非常ベル４及び警報ランプ５を屋外に設置するか、もしくは、非常ベル４及び警報ランプ５を屋内及び屋外の各々に設置し、屋内及び屋外に非常事態を報知するようにしてもよい。これにより第三者に報知すると共に、犯人に心理的動揺を与えて逃走心理を引き起こさせて犯行を未然に防止できる。また、非常ベル４及び警報ランプ５を屋内及び屋外の各々に設置した場合には、いずれか一方が故障しても、他方で報知することができ、信頼性を向上できる。
【００３０】
以上のように実施の形態１におけるリモコン式非常警報装置は構成されているので、以下のような作用を有する。
（１）リモコン送信機がペンダント型に形成されており首や腕等に常時着用して携帯しておくことができるため、非常時に速やかに信号を送信することができ、周囲に異常を知らせ犯罪などを未然に防ぐことが出来る。
（２）非常ベルを屋内に設置した場合、非常ベルの大きな音で犯人に動揺を与え犯行を放棄させ犯罪を未然に防ぐことができる。
（３）非常ベルが屋外に設置されることで、屋外の広範囲にわたって報知することができるため、屋外の通行人などが容易に非常事態を発見して、警察などに通報することができる。
（４）警報ランプが屋外に設置されることで、夜間等においても警報ランプが点灯又は点滅するため、屋外の通行人などに容易に非常事態を報知することができる。
（５）リモコン送信機が楕円状に形成されており、手で握り締めるだけで操作することができるため、操作性に優れる。
（６）リモコン送信機が楕円状のペンダント型に形成されており、両側面に送信スイッチを有していることで、首などに掛けて服やポケットの中に入れていても服やポケット上からでも操作することができるため、操作性に優れる。
（７）警報ランプ、非常ベル、受信機を機器取付部に予め取付けておくことで現場での設置作業工数が減るため、作業性に優れる。
（８）警報ランプと非常ベルが同じ箇所に設置されることで、第三者や犯人に音と光の２つの手段により同時に報知でき、確実性を向上できる。
（９）警報ランプ、非常ベル、受信機が同じ箇所に設置されることで、同時に点検や交換などの作業を行うことができるため、メンテナンス性及び作業性に優れる。
（１０）固定部により受信機を正面方向に向かせた状態で設置できるため、受信機の受信性能を向上させることができる。
（１１）リモコン送信機の送信スイッチが作動テストボタンを兼用し、受信機がスピーカーを備えていることによりリモコン送信機と受信機の作動テストを同時に行うことができるため、作業性に優れる。
（１２）スピーカーがボリュームスイッチを有することにより、スピーカーから発生する音量を調節できるため、作動テスト時に音量を小さくし近隣に対して迷惑がかからないようにすることができる。
（１３）受信機がタイマーを備えていることにより、非常ベルの鳴動及び警報ランプの点灯を所定の時間で停止させることができ、必要以上の非常ベルの鳴動及び警報ランプの点灯を防止できる。
（１４）機器取付部が建物の入口上部に固定されることにより、外部への事件発生の報知が容易に行えると共に、犯人の犯行に対する威嚇にもなり犯行を未然に防ぐことができる。
【００３１】
（実施の形態２）
図４は実施の形態２におけるリモコン式非常警報装置の設置図であり、図５は図４のＢ部の拡大図である。
図４において、１０は実施の形態２におけるリモコン式非常警報装置、１１は現金輸送車等の車両、１１ａは車両１１のルーフ、１１ｂは車両１１のシガーライターからなる電源部、１１ｃは座席である。図５において、１２は非常ベル４及び警報ランプ５が上面に配設固定された機器取付板１２ａと、機器取付板１２ａの対向する一組の両端面部からそれぞれ垂直下方に延設された脚部１２ｂと、脚部１２ｂの下端部から水平方向に延設されて裏面に磁石１２ｄを配設された磁着部１２ｃと、を有し亜鉛鍍金を施した鋼材やステンレス等で形成された車両取付部材である。
受信機３は座席１１ｃの下側に固定され、また、非常ベル４及び警報ランプ５は車両取付部材１２の機器取付板１２ａ上面に配設固定されている。車両取付部材１２は通常車内に収納しておき、事件などが発生したときに、ルーフ１１ａの上面などに磁着させて、リモコン送信機２の操作により発報させる。
【００３２】
リモコン送信機２は、図示はしていないが、現金輸送車の警備員などの使用者１人１人があらかじめストラップ２ａを首等から掛けて本体を服のなかに入れるかもしくは胸ポケットの中に入れておくなどして携帯する。一方で、現金を積み降ろしする際など車両１１を停車させる際に、図４に示すように、使用者が車両取付部材１２を車両１１のルーフ１１ａ上面に設置することにより、磁石１２ｄがルーフ１１ａへと磁着する。そして、強盗などの犯人が現れた際に、リモコン送信機２の送信スイッチ２ｂを押すことで信号が送信される。送信された信号は受信機３で受信され、非常ベル４及び警報ランプ５が作動することで、事件発生を外部の通行者等に報知する。ここで、車両ごとの盗難にあった場合でも、ベル及び警報ランプは作動を続けるので、犯人の発見及び追跡を容易におこなうことができる。
なお、実施の形態２におけるリモコン式非常警報装置は、現金輸送車の他にも、貴重品を輸送する車両に対して用いることができる。
【００３３】
以上のように実施の形態２におけるリモコン式非常警報装置は構成されているので、実施の形態１に加え、以下のような作用を有する。
（１）受信機が車両の車内に設置されることで、防水対策等が不用になり、耐久性に優れる。
（２）警報ランプが車外に設置されることで、夜間等においても警報ランプが点灯又は点滅するため、屋外の通行人などに容易に非常事態を報知することができる。
（３）非常ベルが車外に設置した場合、非常ベルの大きな音で犯人に動揺を与え犯行を放棄させ事故を防ぐことができる。
（４）非常ベルが車外に設置されることで、屋外の広範囲にわたって報知することができるため、屋外の通行人などが容易に非常事態を発見することができる。
（５）車両取付部材が磁着面を有するため、緊急時に車両のルーフ上面に磁着して非常事態を報知でき、通常時は車内に収納することができる。
（６）車両の座席の下部に前記受信機を設置することで犯人に見つかりにくく壊され難いため、耐久性に優れる。
（７）車両取付部材に脚部を形成することで、車両のルーフなどの磁着面と機器取付板との間隔を空けることができるため、機器取付板の裏面に突起が生じてもよく警報ランプ及び非常ベルをボルト等により強固に固定することができる。
（８）警報ランプと非常ベルが車両取付部材に一体的に配設されているので、取り扱いが容易で、同時に点検や交換作業を行うことができ、メンテナンス性に優れる。
【００３４】
【発明の効果】
以上説明したように本発明のリモコン式非常警報装置によれば、以下のような有利な効果が得られる。
【００３５】
請求項１に記載の発明によれば、
（１）リモコン送信機がペンダント型に形成されており首や腕等に常時着用して携帯しておくことができるため、非常時に速やかに信号を送信して、周囲に異常を知らせ犯罪などを未然に防ぐことができる操作性、機能性に優れたリモコン式非常警報装置を提供することができる。
（２）非常ベルを屋内に設置した場合、非常ベルの大きな音で犯人に動揺を与え犯行を放棄させ犯罪を防ぐことができる信頼性に優れたリモコン式非常警報装置を提供することができる。
（３）非常ベルが屋外に設置されることで、屋外の広範囲にわたって報知することができるため、屋外の通行人などが容易に非常事態を発見することができる機能性に優れたリモコン式非常警報装置を提供することができる。
（４）警報ランプが屋外に設置されることで、夜間等においても警報ランプが点灯又は点滅するため、屋外の通行人などに容易に非常事態を報知することができる機能性、信頼性に優れたリモコン式非常警報装置を提供することができる。
【００３６】
請求項２に記載の発明によれば、請求項１に記載の効果に加え、
（１）リモコン送信機が楕円状のペンダント型に形成されており、両側面に送信スイッチを有していることで、首などに掛けて服やポケットの中に入れていても服やポケット上からでも手で握り締めるだけで操作することができるため、操作性に優れたリモコン式非常警報装置を提供することができる。
（２）警報ランプ、非常ベル、受信機を機器取付部に予め取付けておくことで現場での設置作業工数が減るため、作業性に優れたリモコン式非常警報装置を提供することができる。
（３）警報ランプと非常ベルが同じ箇所に設置されることで、第三者や犯人に音と光の２つの手段により同時に確実に報知できる信頼性に優れたリモコン式非常警報装置を提供することができる。
（４）警報ランプ、非常ベル、受信機が同じ箇所に設置されることで、同時に点検や交換などの作業を行うことができるため、メンテナンス性及び作業性に優れるリモコン式非常警報装置を提供することができる。
【００３７】
請求項３に記載の発明によれば、請求項１又は２に記載の効果に加え、
（１）固定部により受信機を正面方向に向かせた状態で設置できるため、受信機の受信性能を向上させることができ、信頼性に優れたリモコン式非常警報装置を提供することができる。
【００３８】
請求項４に記載の発明によれば、請求項１に記載の効果に加え、
（１）警報ランプが車外に設置されることで、夜間等においても警報ランプが点灯又は点滅するため、屋外の通行人などに容易に非常事態を報知することができる機能性に優れたリモコン式非常警報装置を提供することができる。
（２）非常ベルを車外に設置した場合、非常ベルの大きな音で犯人に動揺を与え犯行を放棄させ犯罪を防ぐことができる機能性に優れたリモコン式非常警報装置を提供することができる。
（３）非常ベルが車外に設置されることで、屋外の広範囲にわたって報知することができるため、屋外の通行人などが容易に非常事態を発見することができる機能性に優れたリモコン式非常警報装置を提供することができる。
（４）警報ランプと非常ベルが同じ箇所に設置されることで、通行人に音と光の２つの手段により同時に確実に報知できる機能性、信頼性に優れたリモコン式非常警報装置を提供することができる。
（５）車両取付部材が裏面に磁石を有するため、緊急時に車両のルーフ上面に着けるだけで非常事態を報知し、通常時は車内に収納することができ、利便性に優れたリモコン式非常警報装置を提供することができる。
（６）車両の座席の下部に前記受信機を設置することで犯人に見つかりにくく壊され難いため、耐久性に優れたリモコン式非常警報装置を提供することができる。
（７）警報ランプと非常ベルが車両取付部材に一体的に配設されているので、取り扱いが容易で、同時に点検や交換作業を行うことができ、メンテナンス性に優れるリモコン式非常警報装置を提供することができる。
【００３９】
請求項５に記載の発明によれば、請求項４に記載の効果に加え、
（１）車両取付部材に脚部を形成することで、車両のルーフなどの磁着面と機器取付板との間隔を空けることができるため、機器取付板の裏面に突起が生じてもよく警報ランプ及び非常ベルをボルト等により強固に固定することができ、耐久性に優れたリモコン式非常警報装置を提供することができる。
【００４０】
請求項６に記載の発明によれば、請求項１及至５の内いずれか１項に記載の効果に加え、
（１）リモコン送信機が作動テストボタンを備え、受信機がスピーカーを備えていることによりリモコン送信機と受信機の作動テストを同時に行うことができるため、作業性に優れたリモコン式非常警報装置を提供することができる。
（２）スピーカーがボリュームスイッチを有することにより、スピーカーから発生する音量を調節できるため、作動テスト時に音量を小さくし近隣に対して迷惑がかからないようにすることができる操作性に優れたリモコン式非常警報装置を提供することができる。
【００４１】
請求項７に記載の発明によれば、請求項１及至６の内いずれか１項に記載の効果に加え、
（１）受信機がタイマーを備えていることにより、非常ベルの鳴動及び警報ランプの点灯を所定の時間で停止させることができる機能性、操作性に優れたリモコン式非常警報装置を提供することができる。
（２）受信機が鳴動停止ボタンを備えていることにより、非常ベルの鳴動及び警報ランプの点灯を任意に停止させることができる機能性に優れたリモコン式非常警報装置を提供することができる。
（３）受信機が通報装置を備えることで、警察及び警備会社に自動的に通報することができるため、犯罪などに対して迅速な対応を行うことができる信頼性に優れたリモコン式非常警報装置を提供することができる。
【図面の簡単な説明】
【図１】実施の形態１におけるリモコン式非常警報装置のシステムを示す構成図
【図２】実施の形態１におけるリモコン式非常警報装置の設置図
【図３】図２のＡ部の拡大図
【図４】実施の形態２におけるリモコン式非常警報装置の設置図
【図５】図４のＢ部の拡大図
【符号の説明】
１  実施の形態１におけるリモコン式非常警報装置
２，２’  リモコン送信機
２ａ，２ａ’  ストラップ
２ｂ，２ｂ’  送信スイッチ
２ｃ  リモコン表示灯
２ｄ  リセットボタン
２ｅ  内蔵電池
２ｆ  ストラップ孔
３  受信機
３ａ  アンテナ
３ｂ  受信機表示灯
３ｃ  スピーカー
３ｄ  ボリュームスイッチ
３ｅ  電源スイッチ
４  非常ベル
５  警報ランプ
６  電源部
７  建物
７ａ  壁部
７ｂ  入口
８  機器取付部
８ａ  固定部
８ｂ  扉部
１０  実施の形態２におけるリモコン式非常警報装置
１１  車両
１１ａ  ルーフ
１１ｂ  電源部
１１ｃ  座席
１２  車両取付部材
１２ａ  機器取付板
１２ｂ  脚部
１２ｃ  磁着部
１２ｄ  磁石
【図１】
2004265150.tif 000003
【図２】
2004265150.tif 000004
【図３】
2004265150.tif 000005
【図４】
2004265150.tif 000006
【図５】
2004265150.tif 000007